(57)【要約】【課題】  専用の設定端末をスイッチングハブに接続して優先度の設定を行うことが不要であり、また主装置内に収納されるユニットの増設・変更・撤去の各工事を行ったときでもスイッチングハブに優先順位の設定を行う必要がない電話システムを提供する。【解決手段】  スイッチ切換部２６とポート２１との間に介挿されて、該ポート２１に接続されたパケットの優先度を高優先度または低優先度のいずれかに切り換える優先度設定部２５と、この優先度設定部２５で高優先度に設定されたパケットに優先情報を付加する優先情報付加部２３と、入出力ポート２１に主装置１０のパケット変換部１２が接続されたとき、優先度設定部２５を高優先度に設定する優先度制御部３０と、優先情報付加部２３によって付加された優先度情報に基づいてパケットを優先度の高い順にネットワーク２に送出するバッファ部２８とを備える。【選択図】      図５
2005311853.tif 000002
【特許請求の範囲】
【請求項１】
複数の電話機を収容する主装置と、この主装置と通信ネットワークに接続された複数の通信端末装置との間の交換制御を行うネットワークスイッチとを備えた電話システムであって、
前記主装置は、前記各電話機から出力された通話データを通話パケットに変換して前記ネットワークスイッチに出力するパケット変換部を備え、
前記ネットワークスイッチは、複数のポートと、
このポートを介して前記パケット変換部から出力される前記電話機の通話パケットを予め設定された優先度に従って前記通信ネットワークに出力する通話パケット優先処理部とを備えることを特徴とする電話システム。
【請求項２】
前記通話パケット優先処理部は、前記パケット変換部が出力した通話パケットに優先度情報を付与する優先情報付加部と、
前記優先情報付加部によって付加された優先度情報に基づいて前記パケットを優先度の高い順に前記通信ネットワークに出力するバッファ部と
を備えることを特徴とする請求項１に記載の電話システム。
【請求項３】
前記通話パケット優先処理部は、前記ポートに前記パケット変換部が接続されたとき、該ポートの優先度を高くする優先度設定部を備えることを特徴とする請求項１または２に記載の電話システム。
【請求項４】
前記ネットワークスイッチは、前記主装置の優先度設定の指令を受けて前記優先度設定部が設定する各ポートの優先度を制御する優先度制御部を備えるものである請求項１に記載の電話システム。
【請求項５】
前記優先度は、高優先度と、低優先度とからなるものである請求項１乃至４に記載の電話システム。
【請求項６】
前記バッファ部は、優先度の高いパケットを保持する高優先度バッファと、優先度の低いパケットを保持するものである請求項２に記載の電話システム。
【請求項７】
前記電話機は、ボタン電話機からなるものである請求項１に記載の電話システム。
【発明の詳細な説明】
【技術分野】
【０００１】
本発明は、電話システムに係り、特にインターネットを利用したＩＰ電話を収納する主装置とユニット間とのパケット通信を構築するに最適な電話システムに関する。
【背景技術】
【０００２】
従来、図１に示すようにアナログ電話機、或いは専用ボタン電話機などの所謂レガシー端末１と、例えばインターネット等のネットワーク２に接続されたＩＰ電話機３（例えばＳＩＰ［session initiation protocol］、Ｈ.３２３を備えた通信端末装置等）との間なされる通話を仲介する主装置１０を備えた電話システムが知られている（例えば、非特許文献１を参照）。
【０００３】
この種の電話システムに用いられる主装置１０には、呼処理を行う呼制御部１１と、レガシー端末１が扱うデータ（例えばディジタルデータ）とＩＰ電話機３が扱うパケットデータとを相互に変換する音声パケット変換部１２が設けられている。この音声パケット変換部１２は、レガシー端末１の収容台数に応じて複数のユニット（音声パケット変換部１２）が主装置１０に備えられたものとなっている。そして音声パケット変換部１２と呼制御部１１は、複数のポート２１を備えたネットワークスイッチ２０に伝送路４を介して一対一で接続されて電話システムを構成している。ちなみに主装置１０には、呼制御部１１と音声パケット変換部１２を含む主装置１０全体の制御を司る主制御部１３が、時分割多重バス（ＴＤＭバス）１４に接続されている。
【０００４】
このような電話システムに用いられるネットワークスイッチ２０としては、専らスイッチングハブ（レイヤ２スイッチ）が適用される。ちなみに、レガシー端末１とＩＰ電話機３とで通話を行う場合、ネットワークスイッチ（スイッチングハブ）２０を介して伝送される音声パケットを音声通話の品質を保つべく優先して処理する必要がある。このため、ネットワークスイッチ２０の各ポート２１には、パケットの優先度を設定する優先度切換部２２が設けられている。この優先度切換部２２は、パソコンなどの優先度設定用パソコン５を該ネットワークススイッチ（スイッチングハブ）２０に接続して、各ポート２１の優先順位を予め設定するものである。
【０００５】
この優先度切換部２２には、図２の優先度切換部の詳細ブロック図に示すように優先順位の高いパケットであることを示す情報を該パケットに付加する優先情報付加部２３と、この優先度情報の付加の有無を切り換える優先度切換スイッチ２４が設けられている。この優先度切換スイッチ２４は、ネットワークスイッチ（スイッチングハブ）２０に設けられたスイッチの切換制御を行う優先度設定部２５が出力するスイッチ設定信号によってなされるようになっている。そして優先度設定部２５は音声パケットを通過させるポート２１に対して、該ポートの優先度を上げるべく、優先度切換スイッチ２４を高優先側に切り換える。そして、音声パケットを優先情報付加部２３に与えて該音声パケットに優先度の高いパケットであることを示す識別子を付与する。
【０００６】
このようにして高優先度の付与がなされた音声パケットは、各ポート２１間の接続切換を行うスイッチ切換部２６を介して所望のポート２１から出力される。ちなみに、このポート２１とスイッチ切換部２６との間には、前述した優先度切換部２２が設けられて、パケットの優先度の判定を行う優先度判定部２７により該パケットの優先度の判定がなされて、優先度に応じた送信バッファに与えられるようになっている。つまり、この優先度判定部２７は、スイッチ切換部２６から出力されたパケットに付与された優先度レベルを判定して、優先度の高いパケットを高優先度バッファ２８ａに、優先度の低いパケットを低優先度バッファ２８ｂに収納するものである。
【０００７】
そうして優先度の高い音声パケットは、ネットワークススイッチ（スイッチングハブ）２０の高優先度バッファ２８ａに格納される一方、呼パケットやデータパケットなど音声パケットに比べて優先度の低いパケットは、低優先度バッファ２８ｂに格納される。そしてバッファ（送信バッファ）２８に格納されたパケットは、ネットワークススイッチ（スイッチングハブ）２０のポート２１を介して、ＩＰ電話機３が接続されているネットワーク２に送出されるようになっている。
【０００８】
このように構成することで、音声パケットを他のパケット（制御パケット、データパケット等）に比べて優先して扱うことができるので、高い通話品質を維持することが可能となる。
【非特許文献１】ＮＥＣインフロンティア（株）、「Ａｓｐｉｒｅ（アスパイア）」、カタログ、ＮＥＣインフロンティア（株）、平成１４年６月、カタログ番号  ＡＫＹ０１０  ０２０６３０００１ＭＭ
【発明の開示】
【発明が解決しようとする課題】
【０００９】
しかしながら上述したような電話システムにあっては、通話品質を維持するために、主装置１０の音声パケット変換部１２が接続されたスイッチングハブ２０のポート２１の優先順位を高める必要がある。このため、スイッチングハブ２０に専用の設定端末５を接続してポート毎の優先度を予め設定する必要がある。このスイッチングハブ２０の設定は、ネットワークの専門知識および技術が必要であり設定変更等を容易に行うことができないという問題がある。また、主装置１０内に収納される音声パケット変換部１２等のユニットの増設・変更・撤去の各工事を行う都度、スイッチングハブ２０に優先度の設定を行わなければならないという保守上のやっかいな問題も生じる。
【００１０】
本発明はかかる従来の事情に対処してなされたものであり、その目的は専用の設定端末をスイッチングハブに接続して優先度の設定を行うことが不要であり、また主装置内に収納されるユニットの増設・変更・撤去の各工事を行ったときでもスイッチングハブに優先順位の設定を行う必要がない電話システムを提供することにある。
【課題を解決するための手段】
【００１１】
上述した目的を達成するため、本発明に係る電話システムは、複数の電話機を収容する主装置と、この主装置と通信ネットワークに接続された複数の通信端末装置との間の交換制御を行うネットワークスイッチとを備えた電話システムであって、
前記主装置は、前記各電話機から出力された通話データを通話パケットに変換して前記ネットワークスイッチに出力するパケット変換部を備え、
前記ネットワークスイッチは、複数のポートと、このポートを介して前記パケット変換部から出力される前記電話機の通話パケットを予め設定された優先度に従って前記通信ネットワークに出力する通話パケット優先処理部とを備えることを特徴としている。
【００１２】
上述の電話システムによれば、ネットワークスイッチ（スイッチングハブ）の複数のポートに接続された通話パケットの優先度を予め設定した優先度に従って前記ネットワークに出力する。
また前記通話パケット優先処理部は、前記パケット変換部が出力した通話パケットに優先度情報を付与する優先情報付加部と、前記優先情報付加部によって付加された優先度情報に基づいて前記パケットを優先度の高い順に前記通信ネットワークに出力するバッファ部とを備えて構成される。
【００１３】
好ましくは、前記通話パケット優先処理部は、前記ポートに前記パケット変換部が接続されたとき、該ポートの優先度を高くする優先度設定部を備えることが望ましい。
上述の電話システムによれば、ネットワークスイッチのポートに主装置のパケット変換部が接続されたとき、このパケット変換部から出力される通話パケットに優先度を付与すると共に、この付与された優先度情報に基づき優先度の高い順に通信ネットワークに該通話パケットを送出する。
【００１４】
一方、前記ネットワークスイッチは、前記主装置の優先度設定の指令を受けて前記優先度設定部が設定する各ポートの優先度を制御する優先度制御部を備えて構成される。また、前記優先度は、高優先度と、低優先度とからなるものとしている。
好ましくは、前記バッファ部は、優先度の高いパケットを保持する高優先度バッファと、優先度の低いパケットを保持するものとすることが望ましい。
【００１５】
上述の電話システムによれば、主装置が予めネットワークスイッチにおける各ポートの優先度を設定することができる。このためネットワークスイッチは、パケット変換部から出力される通話パケットに優先度を付与すると共に、この付与された優先度情報に基づき優先度の高い順に通信ネットワークに該通話パケットを送出する。
また前記電話機は、ボタン電話機から構成される。
【００１６】
上述の電話システムによれば、従来のアナログ電話機、或いは専用ボタン電話機などの所謂レガシー端末と、ネットワークに接続されたＩＰ電話機との相互接続が容易であり、電話システムの構築に当たりネットワーク知識等の専門技術も不要である。
【発明の効果】
【００１７】
このように本発明に係る電話システムにおいては、主装置に設けられた呼処理部とパケット変換部のそれぞれがネットワークスイッチの入出力ポートに接続されると共に、該入出力ポートに接続された前記呼処理部および前記パケット交換部からそれぞれ出力されて前記通信ネットワークに送出される呼パケットおよび通話パケットに優先度情報をそれぞれ付加する優先情報付加部とを備え、該ネットワークスイッチの入出力ポートに前記パケット変換部が接続されたとき、優先度情報付加部の優先度情報のレベルを上げる優先度設定部を備えているので、パケット変換部が接続されたネットワークスイッチ（スイッチングハブ）のポートを、呼パケットや他のデータパケットが通過するポートより高い優先度を自動的に設定することが可能になる。
【００１８】
特に前記優先度情報は、複数の優先度にレベル分けされたものとして構成してもよく、主装置に収容される所謂レガシー端末が接続された音声パケット変換部に対して細かな優先付けの設定をすることができる。
また、主装置ユニットの増設・変更・撤去の各工事を行ったときでも優先順位の設定を行う必要がない電話システムを構築することができる等、実用上多大なる効果を奏する。
【発明を実施するための最良の形態】
【００１９】
以下、本発明の一実施形態に係る電話システムに関し、図面を参照しながら説明する。
尚、従来の電話システムと同じ機能を備えている部位に関しては、同符号を付してその説明を略述する。
図１は本発明に係る電話システムの概略構成を示す図である。この図において１０は、アナログ電話機、或いは専用ボタン電話機等の所謂レガシー端末１を収納して、例えばインターネットプロトコルを適用したネットワーク２と交換接続する主装置である。また２０は、詳細は後述するが主装置１０に設けられた音声パケット変換部１２および呼制御部１１と、通信ネットワーク（例えばインターネット）２との間の接続を交換制御するネットワークスイッチである。
【００２０】
主装置１０には、前述したレガシー端末１が扱う音声データ（ＰＣＭ音声データ）をＩＰパケットに変換する音声パケット変換部１２が設けられている。また主装置１０には、レガシー端末１と後述するネットワーク２に接続された通信端末装置３との間でなされる呼パケットを処理する呼制御部１１が設けられている。そして主装置１０には、これら音声パケット変換部１２および呼制御部１１を含む主装置１０の全体の制御を司る主制御部１３が設けられている。この主制御部１３と音声パケット変換部１２および呼制御部１１は、例えばそれぞれユニット構成をとり、各ユニット間で相互通信可能となる共通バス（時分割多重バス；ＴＤＭバス）１４に接続されるようになっている。ちなみに共通バス１４には、各ユニットを挿入する複数のスロットが設けられている。そして、主制御部１３は、共通バス１４を介して各スロットに挿入された音声パケット変換部１２および呼制御部１１の挿入位置がわかるようになっている。また、音声パケット変換部１２および呼制御部１１には、ネットワークスイッチ２０と伝送路４を介して接続するネットワークインタフェース１５がそれぞれ設けられている。
【００２１】
一方、ネットワークスイッチ２０には、前述した音声パケット変換部１２、呼制御部１１および通信ネットワーク（例えばインターネット）２を伝送路４を介して該ネットワークスイッチ２０とデータの授受を行う複数のポート２１が設けられている。これらの複数のポート２１には、パケットの優先度を切り換える優先度切換部２２がそれぞれ設けられて、スイッチ切換部２６に与えられている。この優先度切換部２２は、音声パケット変換部１２および呼制御部１１から出力されるパケットの優先度を切り換える役割を担うものであって、該パケットの優先度を高優先度または低優先度にレベル分けするものである。この優先度切換部２２は、詳しくは前述したように、優先順位の高いパケットであることを示す情報を該パケットに付加する優先情報付加部２３と、この優先情報の付加の有無を切り換える優先度切換スイッチ２４が設けられている。この優先度切換スイッチ２４は、ネットワークスイッチ（スイッチングハブ）２０に設けられたスイッチの切換制御を行う優先度設定部２５が出力するスイッチ設定信号によってなされるようになっている。
【００２２】
また優先度切換部２２には、スイッチ切換部２６から伝送されたパケットを一時的に蓄えるバッファ２８が設けられている。このバッファ２８は、パケットの優先度に応じて保持することが可能となるように高優先度バッファ２８ａおよび低優先度バッファ２８ｂとからなっている。また、優先度切換部２２には、スイッチ切換部２６から伝送されたパケットの優先順位を判定する優先度判定部２７が設けられている。この優先度判定部２７は、伝送されたパケットに付与された優先度の識別子から該パケットの優先度レベルを判定して、優先度の高いパケットを高優先度バッファ２８ａに、優先度の低いパケットを低優先度バッファ２８ｂに収納するものである。
【００２３】
また、スイッチ切換部２６に設けられたポート２１の一つに各優先度切換部２２に設けられた優先度切換スイッチ２４の設定を行う優先度設定部２５を制御する優先度制御部３０が設けられている。
概略的には上述したように構成される本発明に係る電話システムが特徴とするところは、スイッチ切換部２６の一つのポート２１に接続された優先度制御部３０によって、各ポート２１にそれぞれ設けられた優先度切換部２２の優先度切換スイッチ２４の設定を行う点にある。
【００２４】
このような特徴ある本発明に係る電話システムに関し、優先度制御部３０の作動手順を示す図４のフローチャートに基づき説明する。
まず、主装置１０の主制御部１３は、共通バス１４を介して該主装置１０のスロット（図示せず）に挿入されているユニット構成をチェックする［ステップＳ１］。このチェックは、例えば、各ユニットに設けられたユニークなＩＤを共通バス１４を介して主制御部１３が読み込んだり、主制御部１３から各ユニットにポーリングしたりしてユニット構成を受け取る等によって行う。
【００２５】
このようにしてステップＳ１で主装置１０のユニット構成のチェックを終えた主制御部１３は、該ユニット中に音声パケット変換部１２があるかどうかを判定する［ステップＳ２］。このステップＳ２で、音声パケット変換部１２があると判定した主制御部１３は、ネットワークスイッチ２０の優先度制御部３０と通信を行う［ステップＳ３］。ちなみに主装置１０および優先度制御部３０が接続されているネットワークスイッチ２０のポート（図３の場合、［ポート１］および［ポート５］）以外のすべてのポート２１は、優先度制御部３０によって予め閉じられている。
【００２６】
次いで主制御部１３は、ステップＳ３で優先度制御部３０と通信が成功したとき［ステップＳ４］、該優先度制御部３０に対して、ネットワークスイッチ２０の各ポート２１を順次、開くように指示する［ステップＳ５］。この指示を受けた優先度制御部３０は、例えば図３において［ポート２］を開く。そして主制御部１３は、ステップＳ５で開けられたポートに対して、該ポートに接続されている装置（ユニット）の種類を判別すべくコマンドを発行する［ステップＳ６］。このコマンドを受けたポート２１に接続されているユニットが、音声パケット変換部１２であるとき、該音声パケット変換部１２は、主制御部１３に対して音声パケット変換部１２であるという応答を返す［ステップＳ７］。すると主制御部１３は、音声パケット変換部１２が接続されているポートを認識する［ステップＳ７］。以降、ネットワークスイッチ２０が備える全ポートに対して、上述した音声パケット変換部１２の接続確認を繰り返す［ステップＳ８］。
【００２７】
このようにして主制御部１３は、各ポートに接続されている音声パケット変換部１２を認識する。そして主制御部１３は、優先度制御部３０に対して音声パケット変換部１２が接続されているポート２１の優先度を上げるべく該ポート２１の優先度切換スイッチ２４の設定指示を出す［ステップＳ９］。この設定指示を受けた優先度制御部３０は、音声パケット変換部１２が接続されているポート２１の優先度切換スイッチ２４を高優先側に設定するよう優先度設定部２５に指令を出す。
【００２８】
このようにして音声パケット変換部１２が接続されたネットワークスイッチ２０のポート２１に入力されるパケット（音声パケット）の優先度を上げることができる。
より具体的に、上述したようにして設定されたネットワークスイッチ２０について、ボタン電話機（レガシー端末）１からネットワーク２に接続されたＩＰ電話機３に対して送出される音声パケットの流れについて図５を参照しながら説明する。
【００２９】
この図に示すように主装置１０は、二つの音声パケット変換部１２を備え、ネットワークスイッチ２０のポート［ポート２］および［ポート３］にそれぞれ接続されたものとなっている。またネットワークスイッチ２０の［ポート４］は、ＩＰ電話機３が接続されたネットワーク２（例えばインターネット）が接続されている。ちなみに、この図では、優先度切換部２２の作動をわかり易くするため、［ポート１〜３］は、各ポートから入力されるパケットに着目して、優先度切換スイッチ２４および優先情報付加部２３のみとする一方、［ポート４］は、ネットワーク２に出力されるパケットに着目して、該パケットの優先度を判定する優先度判定部２７およびバッファ２８のみを描いたものである。
【００３０】
さてボタン電話機１から出力されたＰＣＭ音声データは、主装置１０の共通バス１４を介して音声パケット変換部１２により音声パケットに変換される。この音声パケット変換部１２によって変換された音声パケットは、音声パケット変換部１２のネットワークインタフェース１５および伝送路４を介して［ポート２］に伝送される。この［ポート２］に伝送された音声パケットは、優先度切換スイッチ２４が高優先側に切り換えられているので、優先情報付加部２３を通って、該音声パケットに高優先度のパケットであることを示す識別子が付与される。そして識別子が付与された音声パケットは、ネットワーク２から送出されるべく、スイッチ切換部２６により［ポート４］に設けられた優先度切換部２２が備える優先度判定部２７に与えられる。前述したように音声パケットには、高優先度を示す識別子が付与されているので該音声パケットは、高優先度バッファ２８ａに受け渡される。このバッファ２８は、高優先度バッファ２８ａに保持されたパケットから順次［ポート４］に出力されるため、音声パケットは、他の種類のパケットに優先してネットワーク２に送出される。そうしてネットワーク２を介して音声パケットは、ＩＰ電話機３に伝送される。
【００３１】
ちなみに、主装置１０の呼制御部１１からネットワーク２に接続されたＩＰ電話機３に対する呼は、呼制御部１１に設けられたネットワークインタフェース１５および伝送路４を介して［ポート１］に与えられる。この呼は、音声パケットに比べて優先度が低くてもかまわないので、予め優先度制御部３０により優先度切換スイッチ２４が低優先度側に切り換えられている。このため［ポート１］に与えられた呼は、優先情報付加部２３を通ることなくスイッチ切換部２６を介して優先度判定部２７に与えられる。
【００３２】
優先度判定部２７は、到達した呼に高優先度を示す識別子が付与されていないので、低優先度のパケットであると判定して、低優先度バッファ２８ｂに該呼を受け渡す。そうして、高優先度バッファ２８ａにより優先度を下げられたパケットは、高優先度バッファ２８ａに保持されたパケットの送出を妨げることなく［ポート４］からネットワーク２に送出される。
【００３３】
次に上述したようにして設定がなされたネットワークスイッチ２０について、ネットワーク２に接続されたＩＰ電話機３からボタン電話機（レガシー端末）１に対して送出される音声パケットの流れについて図６を参照しながら説明する。この場合、ネットワークスイッチによる優先制御は行われることなくボタン電話機１に音声情報が伝達される。ちなみに、この図に示すように主装置１０は、音声パケット変換部１２を備え、ネットワークスイッチ２０のポート［ポート２］に接続されたものとなっている。またネットワークスイッチ２０の［ポート４］は、ＩＰ電話機３が接続されたネットワーク２（例えばインターネット）が接続されている。ちなみに、この図では、優先度切換部２２の作動をわかり易くするため、［ポート２］は、ネットワーク２に出力されるパケットの優先度を判定する優先度判定部２７およびバッファ２８のみとする一方、［ポート４］は、各ポートから入力される信号に着目して、優先度切換スイッチ２４および優先情報付加部２３のみを描いたものである。尚、この図は、理解を容易にするために［ポート３］を省略して描いている。
【００３４】
さてＩＰ電話機３から出力された音声パケットは、ネットワーク２および伝送路４を介して［ポート４］に与えられる。［ポート４］に設けられた優先度切換部２２の優先度切換スイッチ２４は、優先度制御部３０によって、予め低優先度に設定されている。このため、［ポート４］からネットワークスイッチ２０に取り込まれたパケットは、優先情報付加部２３を通ることなくスイッチ切換部２６を介して、音声パケット変換部１２が接続されている［ポート２］の優先度判定部２７へ与えられる。この優先度判定部２７は、該パケットに高優先度を示す識別子が付与されていないので、該パケットを低優先度バッファ２８ｂに保持させる。そうして低優先度バッファ２８ｂに保持されたパケットは、［ポート２］および音声パケット変換部１２にてＰＣＭ音声データ変換された後、共通バス１４を介してボタン電話機１に与えられる。
【００３５】
かくして本発明に係る電話システムによれば、ネットワークスイッチ２０に優先度制御部３０を備えているので、各ポートの優先度切換部２２の設定をパソコン等のツールを必要とすることなく主装置１０の音声パケット変換部１２が接続されたポートの高優先度設定を自動的に行わせることが可能となる。このため主装置１０内に実装されるユニット、特に音声パケット変換部１２の増設・変更・撤去の各工事を行ったときであっても優先順位の設定を行う必要がない電話システムを構築することができる。
【００３６】
尚、上述した実施形態にあっては、ネットワークスイッチ２０のポート２１の数を４乃至５の場合として説明したが、このポート数に限定されないということはいうまでもない。またネットワークスイッチ２０の各ポートに予め接続するユニット（例えば呼制御部１１、音声パケット変換部１２等）を決めておいてもかまわない。このようにすることで、電話システムの起動時に主制御部１３が行う音声パケット変換部１２が接続されているポート２１を確認することなく、各ポート２１の優先度をより早く設定することが可能である。
【００３７】
或いは、上述した実施形態は高優先度または低優先度の二つのレベルを切り換える電話システムを例示したが、複数の優先度を設定できるように優先度切換スイッチ２４の出力を複数に切換可能とすると共に、切り換えられた優先度に応じた識別子をパケットに付与することができるように優先情報付加部２３を構成してもよい。そして、パケットに付与された優先度のレベルに応じて優先度判定部２７がその優先度を判定すると共に、優先度のレベルに応じて格納可能となるようにバッファ２８を構成してもよい。このようにすることで、より細かな優先度管理を行うことが可能となる。
【００３８】
その他、本発明はその要旨を逸脱しない範囲で種々変形して実施することができる。
【図面の簡単な説明】
【００３９】
【図１】従来の電話システムの概略構成を示すブロック図。
【図２】図１に示す電話システムにおけるネットワークスイッチに設けられた優先度切換部の概略構成を示すブロック図。
【図３】本発明の一実施形態に係る電話システムにおける概略構成を示すブロック図。
【図４】本発明の一実施形態に係る電話システムの設定手順を示すフローチャート。
【図５】図３に示す電話システムにおいて、レガシー端末（ボタン電話機）からＩＰ電話機に伝送される音声データの流れを示す図。
【図６】図３に示す電話システムにおいて、ＩＰ電話機からレガシー端末（ボタン電話機）に伝送される音声データの流れを示す図。
【符号の説明】
【００４０】
１      ボタン電話機
２      ネットワーク
３      通信端末装置（ＩＰ電話機）
４      伝送路
１０      主装置
１１      呼制御部
１２      音声パケット変換部
１３      主制御部
１４      共通バス
１５      ネットワークインタフェース
２０      ネットワークスイッチ
２１      ポート
２２      優先度切換部
２３      優先情報付加部
２４      優先度切換スイッチ
２５      優先度設定部
２６      スイッチ切換部
２７      優先度判定部
２８      バッファ
３０      優先度制御部
【図１】
2005311853.tif 000003
【図２】
2005311853.tif 000004
【図３】
2005311853.tif 000005
【図４】
2005311853.tif 000006
【図５】
2005311853.tif 000007
【図６】
2005311853.tif 000008